(57)【特許請求の範囲】
【請求項１】
可撓性の浮き体と、前記浮き体に気体が供給されて浮上したときに該浮き体から下方に向かって延設する下部膜壁と、前記浮き体に気体が供給されて浮上したときに該浮き体から上方に向かって延設する上部膜壁と、を備え、浮き体への気体の供給によって浮上して水域を仕切り、浮き体からの気体の排出によって水底に沈下する浮沈式ベルト状袋体において、前記上部膜壁には防護膜の上端が着脱自在に複数枚取り付けられ、浮上したとき前記浮き体、前記上部膜壁及び前記下部膜壁の全外面が前記防護膜で保護され、沈下横転したとき前記浮き体、前記上部膜壁及び前記下部膜壁の上下全面が前記防護膜で覆われることを特徴とする浮沈式ベルト状袋体。
【請求項２】
前記防護膜が、可撓性シートと、前記可撓性シートに埋設された損傷防止材と、で構成されたことを特徴とする請求項１に記載の浮沈式ベルト状袋体。
【請求項３】
前記損傷防止材の埋設量が、予想される前記可撓性シートの損傷箇所に応じて決定されることを特徴とする請求項２に記載の浮沈式ベルト状袋体。
【請求項４】
前記損傷防止材が、前記可撓性シートの表裏に層状に埋設されたことを特徴とする請求項２に記載の浮沈式ベルト状袋体。
【請求項５】
前記損傷防止材が、チップ状のものであることを特徴とする請求項２〜請求項４の何れかに記載の浮沈式ベルト状袋体。
【請求項６】
可撓性の浮き体と、
前記浮き体に気体が供給されて浮上したときに該浮き体から下方に向かって延設する下部膜壁と、
前記浮き体に気体が供給されて浮上したときに該浮き体から上方に向かって延設する上部膜壁と、
前記上部膜壁に着脱自在に取り付けられ、該浮き体が浮上したとき前記浮き体、前記上部膜壁及び前記下部膜壁の下端までを保護する複数枚の防護膜と、
を有することを特徴とする浮沈式ベルト状袋体。
【発明の詳細な説明】
【０００１】
【発明の属する技術分野】
本発明は、オイルあるいはシルト等の拡散を所定の水域内に止める浮沈式ベルト状袋体に関する。
【０００２】
【従来の技術】
石油基地等の周辺水域では、油漏れが生じた場合、外部に汚染を拡散させないように、海底に浮沈式ベルト状袋体が設置されている。
【０００３】
図８に示すように、浮沈式ベルト状袋体４０は、補強層で補強されたゴム等の管状の浮き体４２と、この上下に張り出した膜壁４４、４６とで構成されている。
【０００４】
この浮沈式ベルト状袋体４０は、通常時には、浮き体４２から空気が排出されており、図９に示すように、海底２０にワイヤＷで繋留され横たわった状態で沈下している。そして、油漏れが生じた場合、浮き体４２へ空気が供給されて海面２０に浮上し、いわゆるオイルフェンスを構成する
ところが、沈下している間、波や潮流によって岩盤等の鋭利な物体と接触し、浮沈式ベルト状袋体４０の外面が傷付くことがあり、ライフサイクルが短くなるばかりか、その損傷の度合いによっては、要求される機能が発揮できない恐れがある。
【０００５】
このため、従来は、浮沈式ベルト状袋体４０の膜厚を大きくするという損傷防止対策が採られていたが、十分な効果を発揮していない。
【０００６】
また、損傷した浮沈式ベルト状袋体４０を補修する場合、陸揚げして行う必要があるため、コスト及び工数が掛り、さらに、損傷の程度によっては、全て交換しなければならない。
【０００７】
なお、ここでは、浮沈式ベルト状袋体４０がオイルフェンスとして使用された場合について説明したが、シルトの拡散を防止するシルトフェンスとして使用された場合も同様である。
【０００８】
【発明が解決しようとする課題】
本発明は係る事実を考慮し、浮沈式ベルト状袋体が損傷しないようにすることを課題とする。
【０００９】
【課題を解決するための手段】
請求項１に記載の発明では、可撓性の浮き体へ気体を供給すると浮沈式ベルト状袋体が浮上して水域を仕切り、また、浮き体から気体を排出すると水底に沈下するようになっている。
【００１０】
この浮沈式ベルト状袋体は、浮上したとき浮き体と上部膜壁及び下部膜壁の全外面が防護膜で保護され、沈下横転したとき浮き体と上部膜壁及び下部膜壁の上下全面が防護膜で覆われるので、潮流等によって揺れても、防護膜が岩盤等と接触するだけで、浮沈式ベルト状袋体は直接岩盤等と接触しないので、損傷することがない。
【００１１】
また、浮上している間に、漂流物等が衝突しても、浮沈式ベルト状袋体は防護膜によって保護されているので、傷付かない。
【００１２】
さらに、複数枚の防護膜が浮沈式ベルト状袋体に着脱自在に取付けられている。このため、防護膜が損傷しても、損傷した部位の防護膜だけを取り替えればよいので、コスト及び工数が削減される。
【００１３】
請求項２に記載の発明では、防護膜が、可撓性シートと、この可撓性シートに埋設された損傷防止材とで構成されている。従って、防護膜は浮沈式ベルト状袋体の動きに追従できる柔軟性を有すると共に、損傷防止材によって防護膜の損傷が防止される。
【００１４】
請求項３に記載の発明では、損傷防止材が、損傷が激しいと予想される可撓性シートの部位に多めに埋設されている。このようにすれば、損傷防止材を効果的に埋設することができる。
【００１５】
請求項４に記載の発明では、損傷防止材が、可撓性シートの表裏に層状に埋設されている。これによって、直接岩盤等に接する部位に損傷防止材が効果的に配置される。
【００１６】
請求項５に記載の発明では、損傷防止材が、チップ状のもので構成されている。このように、チップ状とすることによって、防護膜自体の柔軟性を担保できる。
請求項６に記載の発明では、浮き体が浮上したときに、上部膜壁に着脱自在に取り付けられた防護膜によって、浮き体と、上部膜壁及び浮き体から下方に向かって延設している下部膜壁の下端とまでが保護されるようになっている。
【００１７】
【発明の実施の形態】
図１及び図２に示すように、本形態に係る浮沈式ベルト状袋体１０は、管状の浮き体１２と、この浮き体１２の上下に張り出した膜壁１４、１６とで構成されている。
【００１８】
浮き体１２、膜壁１４、１６は、図示しない合成繊維等の補強層に生ゴム又は合成ゴムを含浸し、これを加硫処理した可撓性を備えたゴムシートで構成されている。
【００１９】
膜壁１６の下端は、ワイヤＷで海底１８に繋留されており、図２に示すように、エアポンプで浮き体１２へ空気が送られると、海面２０へ浮上していわゆるオイルフェンスを構成し、所定の海域を封鎖するようになっている。また、通常時には、浮き体１２から空気が排出されており、図３に示すように、海底１８にワイヤＷで繋留され横たわった状態で沈下している。
【００２０】
このとき、浮沈式ベルト状袋体１０の上下面は、防護膜２２で覆われている。この防護膜２２は、浮沈式ベルト状袋体１０の長手方向に沿って複数枚配置されており、部分的に取り替えることができるようになっている。また、防護膜２２の上端は膜壁１４へ、下端は膜壁１６へそれぞれボルト２４とナット２６で着脱可能に取付けられている。
【００２１】
この防護膜２２は、図５に示すように、合成繊維、又は金属繊維等からなる補強層（図示省略）に生ゴム又は合成ゴム等を含浸し、これを加硫処理した可撓性のシート材２８で、補強層の外側には、損傷防止材としてセラミックチップ３０が埋め込まれている。セラミックチップ３０は耐蝕性、耐摩耗性を備えているので、シート材２８の表面が傷付いて腐蝕現象を引き起こすことがない。
【００２２】
また、セラミックチップ３０は、粒径が２〜３ｍｍのものを中心として、粒度が分布しており、隙間なく分散して、シート材２８を保護している。
【００２３】
次に、本形態に係る浮沈式ベルト状袋体の作用を説明する。
図３に示すように、浮き体１２から空気が排出されているとき、浮沈式ベルト状袋体１０は、その上下面を防護膜２２で覆われた状態で、海底１８に沈下している。このため、潮流等によって揺れても、浮沈式ベルト状袋体１０は、直接岩盤等に接触しないので、傷付くことがない。また、防護膜２２には、セラミックチップ３０が埋設されているので、損傷に対する耐力が大きい。
【００２４】
ここで、浮き体１２に空気が供給されると、図２に示すように、浮沈式ベルト状袋体１０が海面２０へ浮上して、所定の水域を仕切り、オイルやシルト等の汚濁物の拡散を防止する。
【００２５】
また、仮に、防護膜２２が傷付いても、ボルト２４及びナット２６を外して、防護膜２２だけを部分的に交換すればよいので、コスト及び工数が削減される。
【００２６】
なお、本形態では、防護膜２２の上下を浮沈式ベルト状袋体１０に固定したが、図４に示すように、上端を浮沈式ベルト状袋体１０の膜壁１４に固定して、カーテンのように垂らし、外面を保護するようにしてもよい。また、浮沈式ベルト状袋体１０と同じ長さの一枚の防護膜で保護するようにしてもよい。
【００２７】
さらに、セラミックチップ３０を均等に埋設するようにしたが、図６に示す防護膜３４のように、シート材２８の表裏面に２層に分けてセラミックチップ３０を埋設するようにしてもよく（補強層は図示せず）、海底の岩盤の状態に応じて損傷し易い部分にだけ、あるいは、損傷しては都合が悪い部分にだけ、セラミックチップ３０を埋設するようにしてもよい。また、図７に示す防護膜３６のように、防護膜２２の表面を帆布３２で被覆して補強層を構築してもよい。
【００２８】
さらに、本形態では、損傷防止材として、セラミックチップ３０を採用したが、ケプラー繊維、粒状の鉄、スチールコード等の耐摩耗性に優れた素材を使用してもよい。
【００２９】
【発明の効果】
本発明は上記構成としたので、岩盤等との接触による損傷を防止でき、また、交換、補修が容易にできる。
【図面の簡単な説明】
【図１】本形態に係る浮沈式ベルト状袋体を示す斜視図である。
【図２】本形態に係る浮沈式ベルト状袋体が浮上している状態を示す断面図である。
【図３】本形態に係る浮沈式ベルト状袋体が沈下している状態を示す断面図である。
【図４】他の形態に係る浮沈式ベルト状袋体が浮上している状態を示す断面図である。
【図５】防護膜の断面図である。
【図６】他の防護膜の断面図である。
【図７】他の防護膜の断面図である。
【図８】従来の浮沈式ベルト状袋体を示す斜視図である。
【図９】従来の浮沈式ベルト状袋体が沈下している状態を示す斜視図である。
【符号の説明】
１０  浮沈式ベルト状袋体
１４  膜壁（上部膜壁）
１６  膜壁（下部膜壁）
１２  浮き体
２２  防護膜
２４  ボルト
２６  ナット
３０  セラミックチップ（損傷防止材）
【図１】
0003759786.tif 000002
【図２】
0003759786.tif 000003
【図３】
0003759786.tif 000004
【図４】
0003759786.tif 000005
【図５】
0003759786.tif 000006
【図６】
0003759786.tif 000007
【図７】
0003759786.tif 000008
【図８】
0003759786.tif 000009
【図９】
0003759786.tif 000010